【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
医療用ワークステーションであって、
少なくとも１つのディスプレイと、
少なくとも一部がＭＲＩスキャナのオンボードにあるか前記ＭＲＩスキャナと通信していて、前記少なくとも１つのディスプレイと通信している回路と、を含み、前記回路は少なくとも１つのプロセッサを含み、
前記回路は、患者の心臓の長軸プレーン及び短軸プレーンの複数のＭＲＩイメージ系列を取得し、前記各ＭＲＩイメージ系列は、アクティブスキャン時間が５分以下であって前記患者が前記ＭＲＩスキャナのボア内にいるイメージセッションの間に、前記患者の前記心臓の別々の単一心拍にわたって取得され、
前記回路は、前記患者の前記心臓の前記複数のＭＲＩイメージ系列に基づいて、前記患者の前記心臓の心筋心臓組織のストレインを測定し、
前記回路は、複数の隣り合う区画を有する長軸方向及び円周方向の心臓モデルを生成し、前記区画は前記測定されたストレインに基づいて色分けされている、
ワークステーション。
【請求項２】
前記少なくとも１つのプロセッサを有する前記回路は、前記ＭＲＩスキャナに対し、前記複数のＭＲＩイメージ系列を、前記長軸プレーン及び前記短軸プレーンである、前記心臓の別々の６つのプレーンから、心臓ゲーティングを必要としない自由呼吸イメージとして捕捉するように指示し、前記少なくとも１つのプロセッサを有する前記回路は、前記別々の長軸プレーン及び短軸プレーンに対して前記ＭＲＩイメージ系列のそれぞれの動画を生成し、前記少なくとも１つのディスプレイに前記ＭＲＩイメージの前記動画を表示させ、前記ＭＲＩイメージの前記動画における前記心筋心臓組織は、心周期全体にわたるストレイン変形の量に基づいて、時間とともに変化する色を用いてストレイン測定値を示す、請求項１に記載のワークステーション。
【請求項３】
前記ストレイン測定値は、前記心臓モデルにおいて、心筋収縮性の５つの状態、即ち、過収縮、正常収縮、低収縮、無収縮、及び収縮不全を表すように色分けされている、請求項１又は２に記載のワークステーション。
【請求項４】
前記少なくとも１つのプロセッサを有する前記回路は、前記少なくとも１つのディスプレイに、前記複数の心臓モデルを前記ストレイン測定値とともに同時に表示させ、前記少なくとも１つのプロセッサを有する前記回路は更に、可逆的心筋機能障害に対応する第１のユニバーサルストレイン値と、不可逆的心筋機能障害に対応する第２のユニバーサルストレイン値とを識別する視覚的参照バーを生成して、前記少なくとも１つのディスプレイに同時に表示させる、請求項１から３のいずれか一項に記載のワークステーション。
【請求項５】
前記少なくとも１つのプロセッサを有する前記回路は、前記少なくとも１つのディスプレイに、前記生成された複数の心臓モデルを、前記測定されたストレインとともに同時に表示させ、同時に表示される前記生成された心臓モデルは、円周方向ストレインに関して、３チャンバ心臓モデル、４チャンバ心臓モデル、及び２チャンバ心臓モデルを、前記測定されたストレインとともに含む、請求項１から４のいずれか一項に記載のワークステーション。
【請求項６】
前記３チャンバ心臓モデル、前記４チャンバ心臓モデル、及び前記２チャンバ心臓モデルは、心基部下外側区画、中央部下外側区画、心尖部側部区画、心基部前壁中隔区画、中央部前壁中隔区画、心尖部前部区画、及び心尖端に関連付けられた、隣り合う少なくとも７つの区画を示し、各区画は測定されるストレイン値が異なってよい、請求項５に記載のワークステーション。
【請求項７】
前記同時に表示される心臓モデルは、心基部領域、中央部領域、及び心尖部領域を有する長軸方向ストレイン区画モデルを含み、前記心基部領域及び前記中央部領域は、それぞれが、前部区画、前壁中隔区画、下壁中隔区画、下部区画、下外側区画、及び前外側区画を含み、前記心尖部領域は、前部区画、中隔区画、下部区画、及び側部区画を含む、請求項５に記載のワークステーション。
【請求項８】
前記少なくとも１つのプロセッサを有する前記回路は、前記ＭＲＩスキャナに対し、前記患者の前記心臓の前記複数の前記ＭＲＩイメージ系列を取得する為のパルスシーケンスを生成して、以下のように定義されたエンコーディング出力（ｗ＿０）、低チューニング（ｗ＿Ｌ）、及び高チューニング（ｗ＿Ｈ）により前記ストレインを測定するように指示し、
ｗ＿０＝（１＋ｓ＿ｍａｘ）×（１＋ｓ＿ｍｉｎ）／（ｓ＿ｍａｘ−ｓ＿ｍｉｎ）×１／Ｈ
ｗ＿Ｌ＝（１＋ｓ＿ｍｉｎ）／（ｓ＿ｍａｘ−ｓ＿ｍｉｎ）×１／Ｈ
ｗ＿Ｈ＝（１＋ｓ＿ｍａｘ）／（ｓ＿ｍａｘ−ｓ＿ｍｉｎ）×１／Ｈ
条件としてｓ＿ｍａｘ＜１＋２．ｓ＿ｍｉｎであり、Ｈはｍｍ単位のスライス厚さである、請求項１から７のいずれか一項に記載のワークステーション。
【請求項９】
前記少なくとも１つのプロセッサを有する前記回路は更に、
横断プレーン、矢状プレーン、及び冠状プレーンから前記心臓のＭＲＩイメージ系列を取得して、前記心臓の疑似２チャンバビューを生成して、ＭＲスキャナのボア内にいる前記患者の前記心臓の向きを特定し、
前記取得されたＭＲＩイメージから疑似２チャンバプレーン又は疑似４チャンバプレーンを識別し、
単一心拍にわたって前記疑似２チャンバプレーン又は前記疑似４チャンバプレーンからＭＲＩイメージ系列を取得し、
前記疑似２チャンバプレーンの前記ＭＲＩイメージ系列から疑似２チャンバストレインエンコーデッド動画を生成するか、前記疑似４チャンバプレーンの前記ＭＲＩイメージ系列から疑似４チャンバストレインエンコーデッド動画を生成し、そして、
前記疑似２チャンバストレインエンコーデッド動画から疑似４チャンバプレーンを識別するか、前記疑似４チャンバストレインエンコーデッド動画から疑似２チャンバプレーンを識別し、
前記疑似２チャンバストレインエンコーデッド動画からの３つの短軸イメージングプレーンを、前記計算されたストレイン測定値に対応する前記複数の前記ＭＲＩイメージ系列の前記短軸プレーンとして識別し、
前記３つの識別された短軸プレーンの前記ＭＲＩイメージ系列から、短軸心基部（ＳＡＢ）、短軸中央部（ＳＡＭ）、及び短軸心尖部（ＳＡＡ）のストレインエンコーデッド動画を生成し、
前記疑似２チャンバストレインエンコーデッド動画からの３つの長軸イメージングプレーンを、前記ストレイン測定値に対応する前記複数のＭＲＩイメージ系列の前記長軸方向プレーンとして識別する、
請求項１から８のいずれか一項に記載のワークステーション。
【請求項１０】
前記少なくとも１つのプロセッサを有する前記回路は、
前記疑似２チャンバプレーン及び／又は前記疑似２チャンバストレインエンコーデッド動画から前記ＭＲＩイメージ系列を検索して、トータル強度信号が最大となる時点のＭＲＩイメージを識別して、前記心周期のうちの収縮末期に近い区分を識別し、
前記疑似４チャンバプレーンの識別の為に左心室を分割する線を予測し、
前記３つの短軸プレーンの識別の為に左心室を分割する３本の線を予測する、
請求項９に記載のワークステーション。
【請求項１１】
前記疑似２チャンバプレーン及び／又は前記疑似２チャンバストレインエンコーデッド動画のうちの、前記最大トータル強度信号を有する前記ＭＲＩイメージを識別する為の前記ＭＲＩイメージ系列は、高チューニングローストレインエンコーデッドＭＲＩイメージである、請求項１０に記載のワークステーション。
【請求項１２】
前記少なくとも１つのプロセッサを有する前記回路は、
前記患者の前記心臓の心筋領域のアクティブ形状モデル（ＡＳＭ）を、形状と複数の節又は点により作成し、
心筋マスクの作成を、心筋マスク及び血液プールマスクを含む２つのバイナリマスクを組み合わせて前記患者の前記心臓の前記心筋の場所を検出することによって行い、
収縮末期の前記心筋を表す蓄積（ＡＣＣ）イメージを生成し、
前記ＡＣＣイメージを前記心筋マスクと相互に関連付けて、前記心筋の場所を特定し、
前記ＡＳＭを使用し、前記相関を、前記ＡＳＭが様々な長軸スライス及び短軸スライスの前記ＭＲＩイメージ系列を取得する為の初期化として、前記心周期にわたって前記心筋を追跡する、
請求項１から１１のいずれか一項に記載のワークステーション。
【請求項１３】
前記少なくとも１つのプロセッサを有する前記回路は、前記長軸プレーン及び短軸プレーンからの前記ＭＲＩイメージスライス系列を使用して、拡張期ストレインレートを、前記測定されたストレインから、又は前記測定されたストレインとして、計算する、請求項１から１２のいずれか一項に記載のワークステーション。
【請求項１４】
前記少なくとも１つのプロセッサを有する前記回路は更に、
心筋心臓組織の定義された区分のストレイン測定値を時間の関数として取得して前記測定されたストレインとし、
前記ストレイン測定値の第１の導関数を時間の関数として計算し、
前記計算された第１の導関数の正の最大値を拡張期ストレインとして特定する、
請求項１から１３のいずれか一項に記載のワークステーション。
【請求項１５】
前記測定されたストレインは、第１のストレイン測定値セットを含み、前記生成された長軸方向及び円周方向の心臓モデルは、前記長軸方向及び円周方向の心臓モデルの第１のセットであり、
前記少なくとも１つのプロセッサを有する前記回路は、物理的な、又は化学的に引き起こされたストレス課題の後の患者の心臓の長軸プレーン及び短軸プレーンの第２の複数のＭＲＩイメージ系列を取得し、前記各ＭＲＩイメージ系列は、アクティブスキャン時間が５分以下であって前記患者が前記ＭＲＩスキャナのボア内にいるイメージセッションの間に、前記患者の前記心臓の別々の単一心拍にわたって取得され、
前記少なくとも１つのプロセッサを有する前記回路は、前記患者の前記心臓の前記第２の複数のＭＲＩイメージ系列に基づいて、前記患者の前記心臓の心筋心臓組織の局所ストレイン測定値及びグローバルストレイン測定値の第２のセットを取得し、
前記少なくとも１つのプロセッサを有する前記回路は、
前記複数の隣り合う区画を有する前記長軸方向及び円周方向の心臓モデルの課題後セットであって、前記区画は、前記第２のＭＲＩイメージスライス系列からの前記ストレイン測定値に基づいて色分けされている、前記課題後セット、又は
前記複数の隣り合う区画を有する前記長軸方向及び円周方向の心臓モデルの課題後セットであって、前記区画は、前記第１のストレイン測定値のセットと前記第２のストレイン測定値のセットの間の差に基づいて色分けされている、前記課題後セット
のうちの少なくとも一方を生成する、
請求項１から１４のいずれか一項に記載のワークステーション。
【請求項１６】
前記少なくとも１つのプロセッサを有する前記回路は、両方の前記長軸方向及び円周方向の心臓モデルの前記課題後セットを生成し、前記少なくとも１つのディスプレイに両方の前記課題後セットを、前記第１の心臓モデルセットとともに同時に表示させる、請求項１５に記載のワークステーション。
【請求項１７】
前記課題は、必要な心拍上昇が毎分１０拍でしかない低ストレス課題であり、前記少なくとも１つのプロセッサを有する前記回路は、前記課題後に低ストレス課題に基づいて前記第１のストレイン測定値セットと前記第２のストレイン測定値セットとを比較することが可能である、請求項１５又は１６に記載のワークステーション。
【請求項１８】
前記少なくとも１つのプロセッサを有する前記回路は、前記心臓のチャンバ間の心臓収縮の非同期性、及び／又は前記患者の前記心臓の１つの心臓チャンバにおける心臓収縮の非同期性を、心周期全体にわたるストレインの空間的不均一性に基づいて評価する、請求項１から１７のいずれか一項に記載のワークステーション。
【請求項１９】
前記少なくとも１つのプロセッサを有する前記回路は、前記心臓の様々な場所において、前記心周期中の様々な時点で取得された前記ストレイン測定値から、前記心周期中の時間に対するピーク短縮の分散に基づいて、前記心臓の区分及び／又はチャンバに関して計算された０と１の間の数値（「０」は完全非同期を表し、「１」は完全同期を表す）に基づいて非同期性を識別する、請求項１８に記載のワークステーション。
【請求項２０】
前記回路は、グローバルストレイン測定値を計算し、これを、正常組織と異常組織とを区別して、異常組織が可逆的か不可逆的かを明らかにする為に示されている所定のグローバル値と比較する、請求項１から１９のいずれか一項に記載のワークステーション。
【請求項２１】
心機能に関する情報を取得する方法であって、
ボア内に患者を配置したＭＲＩスキャナから、横断プレーン、矢状プレーン、及び冠状プレーンからストレインエンコーデッド（ＳＥＮＣ）ＭＲＩイメージのプランニングビューを電子的に取得して、前記心臓の疑似２チャンバビューを生成して、前記ＭＲスキャナのボア内にいる前記患者の前記心臓の向きを特定するステップと、
前記ＳＥＮＣイメージの前記取得されたプランニングビューから疑似２チャンバ又は疑似４チャンバイメージングプレーンを電子的に識別するステップと、
単一心拍にわたって前記疑似２チャンバイメージングプレーン又は前記疑似４チャンバイメージングプレーンからＭＲＩイメージ系列を電子的に取得するステップと、
前記単一心拍にわたる前記疑似２チャンバ又は前記疑似４チャンバイメージングプレーンからの前記ＭＲＩイメージ系列からの高チューニングローＭＲＩイメージから、トータル強度信号が最大であるＭＲＩイメージを、収縮末期（前記心臓の最大収縮）に関連付けられるＭＲＩイメージスライスであるとして電子的に識別するステップと、
収縮末期に関連付けられる前記識別されたＭＲＩイメージに基づいて３つの短軸イメージングプレーンを電子的に識別するステップと、
収縮末期に関連付けられる前記識別されたＭＲＩイメージから３つの長軸イメージングプレーンを電子的に識別するステップと、
前記３つの短軸イメージングプレーン及び前記３つの長軸イメージングプレーンのそれぞれについて第１のＭＲＩイメージ系列を電子的に取得するステップであって、前記３つの短軸イメージングプレーン及び前記３つの長軸イメージングプレーンの前記第１のＭＲＩイメージ系列のそれぞれは、イメージセッションの間に前記患者の前記心臓の別々の単一心拍にわたって取得され、前記イメージングプレーンの前記プランニングＭＲＩイメージ及び前記第１のＭＲＩイメージ系列は、５分未満のアクティブスキャン時間で、前記患者を前記ＭＲＩスキャナの前記ボア内に５分以上は置かずに取得される、前記ステップと、
前記患者の前記心臓の前記３つの短軸イメージングプレーン及び前記３つの長軸イメージングプレーンのそれぞれについての前記取得された第１のＭＲＩイメージ系列に基づいて、前記患者の前記心臓の心筋心臓組織の局所ストレイン測定値及びグローバルストレイン測定値の第１のセットを電子的に生成するステップと、
前記第１のストレイン測定値セットに基づいて色分けされている、複数の隣り合う区画を有する長軸方向及び円周方向の心臓モデルを、患者が前記磁石の前記ボアから出ている１５分以内に電子的に生成するステップと、
を含む方法。
【請求項２２】
前記プランニングビュー及び前記取得された第１のＭＲＩイメージングビュー系列は、自由に呼吸しているＭＲＩイメージであり、従って、呼吸を止めての信号捕捉又は心臓ゲーティングが不要であり、前記第１のＭＲＩイメージ系列は、患者が前記磁石の前記ボア内に１〜３分いれば取得される、請求項２１に記載の方法。
【請求項２３】
前記ボア内にストレス課題が提示された前記患者を配置した前記ＭＲＩスキャナから、前記３つの短軸イメージングプレーン及び前記３つの長軸イメージングプレーンのそれぞれについて第２のＭＲＩイメージ系列を電子的に取得するステップであって、前記３つの短軸イメージングプレーン及び前記３つの長軸イメージングプレーンの前記第２のＭＲＩイメージ系列のそれぞれは、アクティブスキャン時間が５分未満であって前記患者が前記ＭＲＩスキャナの前記ボア内にいるイメージセッションの間に、前記患者の前記心臓の別々の単一心拍の心周期にわたって取得される、前記ステップと、
前記患者の前記心臓の前記３つの短軸イメージングプレーン及び前記３つの長軸イメージングプレーンのそれぞれについての前記取得された第２のＭＲＩイメージ系列に基づいて、前記患者の前記心臓の心筋心臓組織の局所ストレイン測定値及びグローバルストレイン測定値の第２のセットを電子的に生成するステップと、
前記第２のストレイン測定値セットに基づいて色分けされている、複数の隣り合う区画を有する長軸方向及び円周方向の心臓モデルを、患者が前記磁石の前記ボアから出ている１５分以内に電子的に生成するステップと、
を更に含む、請求項２１又は２２に記載の方法。
【請求項２４】
前記複数の隣り合う区画を有する前記長軸方向及び円周方向の心臓モデルの課題後セットであって、前記区画は、前記第１のストレイン測定値のセットと前記第２のストレイン測定値のセットの間の差に基づいて色分けされている、前記課題後セットを電子的に生成するステップを更に含む、請求項２３に記載の方法。
【請求項２５】
前記第１及び第２のストレイン測定値セットを有する前記心臓モデルと、前記心臓モデルの前記様々な区画のストレイン値の変化に基づく心臓モデルの課題後セットとを同時に表示するステップを更に含む、請求項２４に記載の方法。
【請求項２６】
前記ストレス課題は、必要な心拍上昇が毎分１０拍でしかない低ストレス課題である、請求項２３から２５のいずれか一項に記載の方法。
【請求項２７】
前記患者の、前記心臓のチャンバ間の心臓収縮の非同期性、及び／又は前記心臓の１つの心臓チャンバにおける心臓収縮の非同期性を、心周期全体にわたるストレインの空間的不均一性に基づいて電子的に評価するステップを更に含む、請求項２１から２６のいずれか一項に記載の方法。
【請求項２８】
前記心臓の様々な場所において、前記心周期中の様々な時点で取得された前記第１のストレイン測定値セットから、前記心周期中の時間に対するピーク短縮の分散に基づいて、前記心周期の時間周期全体にわたって前記心臓モデルの全ての区分について非同期性を電子的に計算するステップを更に含む、請求項２１から２７のいずれか一項に記載の方法。
【請求項２９】
患者の心臓に関する情報を取得する方法であって、
患者に単一心拍にわたるＭＲＩスキャンセッションを行うＭＲＩから、単一心拍にわたるＭＲＩスキャンセッションの間に患者のターゲット解剖学的構造のＭＲＩイメージ系列を電子的に取得するステップと、
前記ＭＲＩスキャンセッションの間に前記患者の心臓のストレインエンコーデッド（ＳＥＮＣ）ＭＲＩイメージ系列を電子的に取得するステップと、
前記スキャンセッションの間に前記患者の前記心臓の状態を電子的に自動的にモニタリングして、前記スキャンセッションの間に、前記取得されたＳＥＮＣ  ＭＲＩイメージに基づいて潜在的有害心臓事象を検出するステップと、
潜在的有害心臓事象が検出された場合にアラートを電子的に自動的に発生させるステップと、
を含む方法。
【請求項３０】
心臓の機能障害又は損傷に関する情報を取得する方法であって、
前記心臓の様々なチャンバ、又は前記心臓の様々な領域のストレイン測定値を比較して、心周期全体にわたるストレインの空間不均一性に基づいて非同期性を識別するステップ
を含む方法。
【請求項３１】
心臓の状態に関する情報を取得する方法であって、
長軸プレーン及び短軸プレーンからの心臓のストレインエンコーデッド（ＳＥＮＣ）ＭＲＩイメージ系列を使用して、前記患者の前記心臓の拡張期ストレイン測定値を電子的に算出して、心臓の機能、障害、疾患、又は損傷のうちの少なくともいずれかを評価するステップ
を含む方法。
【請求項３２】
ワークステーションであって、
少なくとも１つのディスプレイと、
少なくとも一部がＭＲＩスキャナのオンボードにあるか前記ＭＲＩスキャナと通信していて、前記少なくとも１つのディスプレイと通信している回路と、を含み、前記回路は少なくとも１つのプロセッサを含み、前記少なくとも１つのプロセッサを有する前記回路は、
患者の心臓の長軸プレーン及び短軸プレーンの複数のＭＲＩイメージ系列を取得し、前記各ＭＲＩイメージ系列は、アクティブスキャン時間が５分未満であって前記患者が前記ＭＲＩスキャナのボア内にいるイメージセッションの間に、前記患者の前記心臓の別々の単一心拍にわたって取得され、
前記長軸プレーン及び前記短軸プレーンからの前記ＭＲＩイメージ系列を使用して、前記患者の前記心臓の収縮期及び拡張期のストレイン測定値を取得し、前記収縮期ストレイン測定値は負であり、前記拡張期ストレイン測定値は正であり、任意選択で、前記拡張期ストレイン測定は、時間の関数としての、ストレインの第１の導関数の計算を含む、
ワークステーション。
【請求項３３】
前記少なくとも１つのプロセッサを有する前記回路は、
心筋心臓組織の定義された区分のストレイン測定値を時間の関数として取得し、
前記ストレイン測定値の第１の導関数を時間の関数として計算し、
前記計算された第１の導関数の正の最大値を拡張期ストレインとして特定する、
請求項３２に記載のワークステーション。
【請求項３４】
患者の心臓のスキャンプレーンのプランニングを行う方法であって、
横断プレーン、矢状プレーン、及び冠状プレーンからストレインエンコーデッドＭＲＩイメージを電子的に取得して、前記心臓の疑似２チャンバビューを生成して、前記ＭＲスキャナのボア内にいる前記患者の前記心臓の向きを特定するステップと、
前記取得されたＭＲＩイメージから疑似２チャンバプレーン又は疑似４チャンバプレーンを電子的に識別するステップと、
単一心拍にわたって前記疑似２チャンバプレーン又は前記疑似４チャンバプレーンからＭＲＩイメージ系列を電子的に取得するステップと、
前記取得されたＭＲＩイメージ系列を電子的に精査して、前記心周期のうちの収縮末期区分を表す、トータル強度信号が最大となる時点のＭＲＩイメージを識別するステップと、
前記識別されたＭＲＩイメージの左心室を分割する３本の線を予測して、３つの短軸イメージングプレーンを識別するステップと、
前記識別されたＭＲＩイメージを通る分割線を予測して、３つの長軸イメージングプレーンを識別するステップと、
を含む方法。
【請求項３５】
前記疑似２チャンバプレーン、及び／又は前記疑似２チャンバプレーンからの前記ＭＲＩイメージ系列から生成された疑似２チャンバストレインエンコーデッド動画のうちの、前記最大トータル強度信号を有する前記ＭＲＩイメージスライスを識別する為に使用される前記ＭＲＩイメージ系列は、高チューニングローストレインエンコーデッド動画である、請求項３４に記載の方法。
【請求項３６】
前記疑似４チャンバプレーン、及び／又は前記疑似４チャンバプレーンからの前記ＭＲＩイメージ系列から生成された疑似４チャンバストレインエンコーデッド動画のうちの、前記最大トータル強度信号を有する前記ＭＲＩイメージスライスを識別する為に使用される前記ＭＲＩイメージ系列は、高チューニングローストレインエンコーデッド動画である、請求項３４又は３５に記載の方法。
【請求項３７】
心臓の迅速なＭＲＩイメージングを行う方法であって、
ストレイン動画を捕捉する為の、前記心臓のカットの単一ビューからのＳＥＮＣパルスシーケンスを電子的に提供し、その後、前記心臓のカットの多種多様なビューからの多種多様な動画を捕捉するステップであって、各動画は単一心拍以内に捕捉される、前記ステップ
を含む方法。
【請求項３８】
ＭＲＩイメージから筋収縮性を定量化する方法であって、
多種多様なＳＥＮＣパルスシーケンスを電子的に送信するステップと、
前記心臓の複数のビューの前記ＳＥＮＣパルスシーケンスからストレイン動画を電子的に捕捉するステップと、
前記ストレイン動画から、心筋の個別区分におけるストレイン測定値を電子的に計算するステップと、
前記計算されたストレイン測定値に関連付けられた収縮性の度合いに基づいて、前記心臓の少なくとも１つのモデルにおける前記ストレイン値を色分けするステップと、
を含む方法。
【請求項３９】
患者の心臓の筋収縮性に対するストレスをＭＲＩイメージから定量化する方法であって、
前記心臓の複数のビューのイメージを取得する為の多種多様なＳＥＮＣパルスシーケンスを送信するステップと、
前記心臓の前記複数のビューの前記ＳＥＮＣパルスシーケンスからストレイン動画を捕捉するステップと、
前記ストレイン動画から、心筋の個別区分におけるストレイン値を電子的に自動的に計算するステップと、
前記患者にストレスがかけられた際の、少なくとも１つの心臓モデルの各区画における収縮性の低減を電子的に色分けして、冠動脈疾患に関連する血液灌流の減少を示すステップと、
を含む方法。
【請求項４０】
（ロー且つ／又は着色された）ＳＥＮＣイメージを使用してイメージングビューのプランニングを自動的に行うことにより、適切なイメージングビューを人間が識別することを必要とせずに、前記イメージングビューに対する複数の長軸プランニングビュー及び短軸プランニングビューに基づいて適切なイメージングビューを提供するプロセッサ
を含むＭＲＩシステム。
【請求項４１】
自動的に、（ロー且つ／又は着色された）ＳＥＮＣイメージから、患者の心室の区分化を実施し、前記ＳＥＮＣイメージから前記患者の前記心室の寸法を測定する、少なくとも１つのプロセッサを含むＭＲＩシステム。
【請求項４２】
解剖学的シーケンスと心筋のストレインシーケンスとを取得する為に集められるＳＥＮＣロー心臓イメージの系列を生成する回路を有するＭＲＩシステム用イメージング処理システムであって、心臓イメージの前記ストレインシーケンスは、ストレイン値の計算に対応する色分けされた周辺部又は区分を有し、前記ストレイン値は、ストレインレート、ストレイン平均値、又はストレイン代表値のうちの少なくとも１つを含む、イメージング処理システム。